(57)【要約】      （修正有）【課題】手軽に美味しい飲料を入れることが可能なドリップ補助具を提供する。【解決手段】ドリップ補助具４０は、ドリップバッグを保持するバッグ受け部４１を有し、バッグ受け部の受け口の大きさが変更可能である。ドリップ補助具４０は、上部開口４６から下部開口４５に向かって徐々に拡径する略円錐台形状を有している。爪孔４３は、１つの折込爪４４に対して円周方向に複数設けられている。その挿し込み位置によって、側面の重なり長さが変わり、それと共に上部開口４６及び下部開口４５の径を変更することが出来る。このようなドリップ補助具４０では、バッグ受け部４１側の上部開口４５にドリップバッグを引っ掛け、カップＣ上に保持することが可能である。また、側面が徐々に拡径しているため、様々な大きさの口径のカップに適合させることができる。【選択図】図６
0003200328.tif 000002
【実用新案登録請求の範囲】
【請求項１】
ドリップバッグを保持するバッグ受け部を有し、
前記バッグ受け部の受け口の大きさが変更可能であること
を特徴とするドリップ補助具。
【請求項２】
請求項１に記載のドリップ補助具であって
カップに被せるためのカップ被せ部を有すること
を特徴とするドリップ補助具。
【請求項３】
請求項２に記載のドリップ補助具であって、
前記カップ被せ部に、複数の口径の異なる段差を有すること
を特徴とするドリップ補助具。
【請求項４】
請求項１から３の何れか一項に記載のドリップ補助具であって、
前記バッグ受け部は、ドリップバッグをカップの縁面よりも上側に保持可能であること
を特徴とするドリップ補助具。
【請求項５】
請求項１から４の何れか一項に記載のドリップ補助具であって、
液体をカップ内に誘導する複数の汁滴り部を有すること
を特徴とするドリップ補助具。
【請求項６】
請求項１から５の何れか一項に記載のドリップ補助具であって、
前記カップ被せ部が、カップ内へと通じる貫通孔を有していること
を特徴とするドリップ補助具。
【請求項７】
請求項１から６の何れか一項に記載のドリップ補助具であって、
前記バッグ受け部を、前記カップ被せ部に嵌め合わせて使用すること
を特徴とするドリップ補助具。
【考案の詳細な説明】
【技術分野】
【０００１】
本考案は、ドリップ補助具に関する。
【背景技術】
【０００２】
近年、コーヒー豆の抽出液を乾燥させて粉末状に加工したインスタントコーヒーに対し、より味を追求した商品が増えている。具体的には挽いた豆を湯で濾してコーヒーを抽出するものであり、一般的には自動で抽出を行う機械式や、カップの上で抽出を行う一杯抽出型のドリップバッグが用いられる。ドリップバッグは、予め布や紙等に一杯分のコーヒー豆がパックしてあり、量を計量することなくお湯を注ぐだけと非常に手軽である。さらに使用後はドリップバッグごと廃棄が可能であり、器具を清掃する必要も無いため、利用者は増加している。
【０００３】
このようなドリップバックは、カップ上に直接載せて使用するため、様々なカップの縁の大きさに対応できるものでなければならない。そこで例えば、豆の入った袋体をカップにあわせて広げ、フックを縁に引っ掛ける形状のドリップバッグが開発されている（例えば、特許文献１）。
【先行技術文献】
【特許文献】
【０００４】
【特許文献１】特開２００２−０３４７９５号公報
【特許文献２】特開２０１０−００５４０９号公報
【考案の概要】
【考案が解決しようとする課題】
【０００５】
ところが、特許文献１に記載されているようなドリップバッグでは、カップ内の抽出液が増すと袋体が接液し、濾過の役割が果たせない。よって、湯量を増やすとカップ内の抽出液が袋体内に逆流してし、本来の味に雑味が加わってしまう。また、誤って多くのお湯を注いだ場合には、袋体から豆が溢れて抽出液に混じってしまう虞もあった。
【０００６】
これに対し特許文献２では、ネジ機構を利用することで袋体の高さを調整し、カップ内における接液を防止する技術が開示されている。
【０００７】
しかしながら、特許文献２の技術は高価にならざるを得ず、使い捨てであるドリップバッグに適用するにはコスト的な問題が残る。また、熱湯を使用するには安定性に欠ける虞もあった。
【０００８】
そこで本考案は、手軽に美味しい飲料を入れることが可能なドリップ補助具を提供することを目的とする。
【課題を解決するための手段】
【０００９】
上記課題を解決するために、本考案のドリップ補助具は、ドリップバッグを保持するバッグ受け部を有し、前記バッグ受け部の受け口の大きさが変更可能である。
カップに被せるためのカップ被せ部を有していてもよい。
前記カップ被せ部に、複数の口径の異なる段差を有していてもよい。
前記バッグ受け部は、ドリップバッグをカップの縁面よりも上側に保持可能であってもよい。
液体をカップ内に誘導する複数の汁滴り部を有していてもよい。
前記カップ被せ部が、カップ内へと通じる貫通孔を有していてもよい。
前記バッグ受け部を、前記カップ被せ部に嵌め合わせて使用するようにしてもよい。
【考案の効果】
【００１０】
本考案によれば、手軽に美味しい飲料を入れることが可能なドリップ補助具を提供することができる。
【図面の簡単な説明】
【００１１】
【図１】本考案の第一の実施形態に係るドリップ補助具１０の正面図である。
【図２】本考案の第一の実施形態に係るドリップ補助具１０の使用例を説明するための説明図である。
【図３】本考案の第二の実施形態に係るドリップ補助具２０の正面図である。
【図４】本考案の第二の実施形態に係るドリップ補助具２０の使用例を説明するための説明図である。
【図５】本考案の第三の実施形態に係るドリップ補助具３０の斜視図である。
【図６】本考案の第四の実施形態に係るドリップ補助具４０の斜視図である。
【図７】ドリップ補助具４０の展開図である。
【図８】本考案の第五の実施形態に係るドリップ補助具５０の斜視図である。
【図９】本考案の第六の実施形態に係るドリップ補助具６０の斜視図である。
【図１０】（ａ）ドリップ補助具６０の展開図である。（ｂ）ドリップ補助具６０１の展開図である。
【図１１】本考案の第七の実施形態に係るドリップ補助具６０１の斜視図である。
【図１２】本考案の第七の実施形態に係るドリップ補助具７０の斜視図である。
【考案を実施するための形態】
【００１２】
本考案の実施の形態について、以下、図に基づいて説明する。
【００１３】
＜第一の実施形態＞
図１は、本考案の第一の実施形態に係るドリップ補助具１０の正面図である。
【００１４】
図１に示すように、本考案の一態様に係るドリップ補助具１０は、市販のドリップバッグを載せるためのバッグ受け部１１と、カップ上に被せるカップ被せ部１２と、を有している。
【００１５】
バッグ受け部１１は、上下共に開口した円筒状の部材である。バッグ受け部１１の上側の上部開口１１１は円形に開口しており、一般的なドリップバッグを載せることが可能な形状である。図２に、ドリップ補助具１０の使用例を説明するための説明図を示す。
【００１６】
図２に示すように、一般的なドリップバッグ９は、内部にコーヒー豆をパックした袋体９１と、袋体９１を挟むようにして設けられた押え羽根９２と、を有している。一般的なドリップバッグ９では、押え羽根９２を両側から引っ張ってカップＣの縁に引っ掛けることで、袋体９１を上部が開口した状態で保持することができる。
【００１７】
これと同様に、ドリップ補助具１０では、押え羽根９２をバッグ受け部１１の上部開口１１１の縁に引っ掛けることで、袋体９１を上部が開口した状態で保持することができる。その際、ドリップバッグ９は、カップＣの開口Ｏよりも上の位置に戴置されることが望ましい。特に、袋体９１が開口Ｏよりも上に位置すれば、カップＣ内の液体が袋体９１内に逆流することは無い。従って、バッグ受け部１１は、少なくとも上部開口１１１に装着されているドリップバッグ９の袋体９１が、開口Ｏよりも上に位置するだけの高さを有していることが望ましい。
【００１８】
カップ被せ部１２は、バッグ受け部１１の下部開口１１２から略垂直方向に周囲へとフランジ形状に広がる、中心に穴の開いた略円盤状の部材である。また、その縁部１２１は下側に折り曲げられており、カップＣの縁にカップ被せ部１２を蓋のように被せることで、カップ上にドリップ補助具１０を安定して戴置することができるようになっている。なお、縁部１２１の数は１つである必要は無く、図示するように何段階かに分けて階段状に形成されていてもよい。これにより、様々な大きさの開口を有するカップに対応することができる。
【００１９】
なお、本実施形態においては、バッグ受け部１１とカップ被せ部１２とは、一体的に形成されているものとする。また、バッグ受け部１１はカップ被せ部１２に対してめり込んで、一部重なるよう形成されている。これにより、バッグ受け部１１の下部開口１１２の縁は、当該下部開口１１２から周囲へと広がるカップ被せ部１２のフランジ１３１よりも下側に位置し、導入部１３を形成している。
【００２０】
導入部１３は、即ち下部開口１１２の縁部分であるが、この縁が周囲のフランジ１３１よりも下側（カップＣ側）に位置することで、上部からバッグ受け部１１の壁を伝う液体は、フランジ１３１へ伝い広がることなく直接カップＣ内へと落ちる。これにより、カップ被せ部１２への汚れの付着や、縁部１２１からの漏れを防止することができる。
【００２１】
なお、このようなドリップ補助具１０は、合成樹脂（プラスチック等）、紙、金属、木等のどのような素材から形成してもよい。繰り返し使えるものであれば、例えば磁器や陶器、金属を用いて形成してもよく、使い捨てであってもよい。
【００２２】
以上説明したように、ドリップ補助具１０によれば、ドリップバッグの袋体９１をカップＣの開口Ｏの縁面よりも高い位置に保持することで、例えカップＣが液体で満たされた場合でも、袋体９１が浸かることなく最後までドリップを行うことができる。また、導入部１３において液体がカップＣ内に落下するため、カップＣの縁を汚したり、液体が漏れたりすることがない。また、バッグ受け部１１の背丈を高くすることにより、ドリップするコーヒーの滴り落ちる音を楽しむことができる。
なお、カップ被せ部に、後述ののぞき穴を設けてもよい。
【００２３】
＜第二の実施形態＞
次に、本考案の第二の実施形態について説明する。図３は、本考案の第二の実施形態に係るドリップ補助具２０の正面図である。本実施形態に係るドリップ補助具２０は、バッグ受け部２１とカップ被せ部２２とが、一体に形成されていない点で、第一の実施形態とは異なる。なお、上記実施形態と同様の構成には同様の符号を付し、その詳細な説明は省略する。
【００２４】
バッグ受け部２１は、上記実施形態と同様に円筒状の部材であるが、下部開口２１２に向かって次第に細くなる（漸次縮径する）よう形成されている。これにより、バッグ受け部２１は、カップ被せ部２２の上部開口２２１に嵌め込んだ際に、適度な位置で保持される。図４に、ドリップ補助具２０の使用例を説明するための説明図を示す。
【００２５】
図４に示すように、バッグ受け部２１をカップ被せ部２２に嵌め合わせると、バッグ受け部２１は、その下部開口２１２がフランジ１３１よりも下側（カップＣ側）の位置において、カップ被せ部２２の上部開口２２１の縁で止まって固定される。これにより、カップ被せ部２２へ液体が伝わったり、縁部１２１から漏れたりすることを防止できる。
【００２６】
また、バッグ受け部２１の下部開口２１２の縁は波形状の導入部２３が形成されている。波形状のうち、下に飛び出した複数の部分が汁滴り部２３となる。この波形状はバッグ受け部２１の壁面を伝う液体を分散しながら効率的にカップＣ内へと落下させる。これにより、下部開口２１２に液体が溜まったままになるのを防止することができる。
【００２７】
また、カップ被せ部２２には、のぞき穴２２３が形成されている。のぞき穴２２３を覗き込むことで、利用者はカップＣ内の液体量を目で見て確かめることができる。よって、のぞき穴２２３はカップＣ内の液面を目視し易い位置、即ちバッグ受け部２１の壁面に対し略垂直なフランジ１３１部分に、下向きの貫通孔として設けられているのが望ましい。
【００２８】
以上説明したように、本考案のドリップ補助具２０によれば、バッグ受け部２１とカップ被せ部２２を別々の部材で構成することで、かさ張らないパッキングが可能となる。また、例えば汚れ易いバッグ受け部２１のみを使い捨てにすることもできる。また、カップ被せ部ののぞき穴２２３により、カップ内の液体の量を確認できるため、好みの量や濃さの抽出液を得ることができる。またのぞき穴２２３は、複数設けてもよい。その用途も量の確認に限らず、ミルクや砂糖等を注いだり、香りをかいだりする等にも用いることができる。のぞき穴２２３は、貫通孔であるので、外気との関係で、内部の気流（香りなどを含めた対流）を変化させることができる。例えば、のぞき穴２２３から入った空気を、バッグ受け部２１の上部開口部側に流し、におい、湿気を内部にこもらせない。
【００２９】
＜第三の実施形態＞
次に、本考案の第三の実施形態について説明する。図５は、本考案の第三の実施形態に係るドリップ補助具３０の斜視図である。本実施形態に係るドリップ補助具３０は、全体が金属のフレームで形成されている点で、第一の実施形態とは異なる。
【００３０】
ドリップ補助具３０は、ドリッパー形状（漏斗形状）をしたフレームであるバッグ受け部３１と、バッグ受け部３１を支えるフレームであるカップ被せ部３２と、を有している。
【００３１】
バッグ受け部３１は、２つのリング状の金枠３１１及び３１２と、これらを縦に重なるよう上下方向に連結する４本の金枠３１３と、を有している。金枠３１３は、それぞれのリングの円周を４分割した位置に溶着されており、その末端は丸められている。
【００３２】
２つのリング状の金枠３１１及び３１２は、上側に位置する金枠３１１の直径が、下側に位置する金枠３１２よりも大きく、フレーム全体が略逆円錐台形状のドリッパーを形成している。また、各金枠は必ずしも上記本数である必要はなく、フレーム全体がドリッパーの形状を形成できていれば、どのような構造であってもよい。
【００３３】
カップ被せ部３２は、カップＣに載せるためのリング状の金枠３２１を有している。金枠３２１は、金枠３１１及び３１２と、伸張する上記金枠３１３によって上下方向に連結されている。またここでは、金枠３２１は金枠３１２よりも大きな直径を有し、全体として中央付近が括れた形状となっている。
【００３４】
金枠３１３は、カップ被せ部３２において、外方向に屈曲して略Ｌ字型の支柱部３３を形成している。当該支柱部３３の略Ｌ字型の頂点は導入部（汁滴り部）３４として、下側（カップＣ側）に突出し、かつ、金枠３２１の内側（カップＣ上）に位置するよう形成されている。従って、当該導入部３４が、金枠３１３を伝う液体をカップＣ内に滴下させる機能を有している。また、金枠３１３は、金枠３２１側に波状部３５を形成している。波状部３５は、その段差がカップＣの開口Ｏに引っ掛かることで様々な大きさの口径のカップに適合し、全体を安定的に戴置できるようになっている。
【００３５】
このようなドリップ補助具３０では、バッグ受け部３１のリング状の金枠３１１にドリップバッグ９を引っ掛けて、一般的なドリッパーのように使用することができるため、袋体９１が液体に浸ることがない。また、フレームのみで形成されているため、汚れにくく、取り回しがよい。なお、金属に限らず、フレーム形状を維持できるものであれば、プラスチック等で形成されていてもよい。
【００３６】
＜第四の実施形態＞
次に、本考案の第四の実施形態について説明する。図６は、本考案の第四の実施形態に係るドリップ補助具４０の斜視図である。本実施形態に係るドリップ補助具４０は、バッグ受け部４１とカップ被せ部４２が一連の円錐台形状である点で、第一の実施形態とは異なる。
【００３７】
ドリップ補助具４０は、上部開口４６から下部開口４５に向かって徐々に拡径する略円錐台形状を有している。なおここでは、ドリップ補助具４０は、図７に示すような展開した状態で維持することが可能であり、その一方の短辺に２つの折込爪４４が形成されているものとする。このような展開状態のドリップ補助具４０を巻き取り、折込爪４４を爪孔４３に挿し込むことで、図６に記載するような略円錐台形状を維持させることができる。従って、このようなドリップ補助具４０では、ある程度の変形が可能な紙やプラスチック等の素材で形成されていることが望ましい。
【００３８】
なお、爪孔４３は、１つの折込爪４４に対して円周方向に複数設けられているのが望ましい。その挿し込み位置によって、側面の重なり長さが変わり、それと共に上部開口４６及び下部開口４５の径を変更することが出来るからである。例えば、下部開口４５の径をカップＣの口径に適合させることで安定性が高まる。また、折込爪４４や爪孔４３の数は上記の限りではなく、いくつ設けても構わない。
【００３９】
このようなドリップ補助具４０では、バッグ受け部４１側の上部開口４５にドリップバッグを引っ掛け、カップＣ上に保持することが可能である。また、側面が徐々に拡径しているため、様々な大きさの口径のカップに適合させることができる。さらに、展開状態で平面的に保存することが可能であるため、かさ張らず収納性や携帯性が飛躍的に高まる。
【００４０】
＜第五の実施形態＞
次に、本考案の第五の実施形態について説明する。図８は、本考案の第五の実施形態に係るドリップ補助具５０の斜視図である。本実施形態に係るドリップ補助具５０は、カップ被せ部５２が段階的に拡径している点で、第四の実施形態とは異なる。
【００４１】
図８に示すように、ドリップ補助具５０は、カップ被せ部５２が段階的に直径方向に拡径しており、段差５３が設けられている。このような段差５３が形成されていることで、カップＣに段差５３が嵌り込み安定的に戴置することが可能である。
【００４２】
＜第六の実施形態＞
次に、本考案の第六の実施形態について説明する。図９は、本考案の第六の実施形態に係るドリップ補助具６０の斜視図である。本実施形態に係るドリップ補助具６０は、バッグ受け部６１のみを半展開した状態にすることが可能である点で、第五の実施形態とは異なる。
【００４３】
ドリップ補助具６０は、カップ被せ部６２が筒状に固定されており、折込爪４４及び爪孔４３を有していない構成となっている。なお、カップ被せ部６２とバッグ受け部６１とは連結部６３で繋がり、連結部６３の長さはここでは略半周程度である。残りの略半周に形成される切込部６４では、図１０（ａ）に示すように、その側面を開いて半展開することが可能となっており、折込爪４４及び爪孔４３によって上部開口４６の口径を調整することができる。
【００４４】
このような構成により、ドリップ補助具６０では、上部開口４６の口径の調整を簡便に行うことが可能でありながら、安定性にも優れた構成を有している。
【００４５】
なお、本実施形態においても、液体をカップ内に導入するための導入部（汁滴り部）６５を設けることもできる。図１０（ｂ）は、導入部（汁滴り部）６５を設けた変形例であるドリップ補助具６０１の展開図である。導入部（汁滴り部）６５は、切込部６４により展開可能にされた展開片の下の辺から下方向に飛び出した部分である。図１１に示すように、導入部６５を内側に入れて、折込爪４４に爪孔４３を差し込んで使用することができる。
【００４６】
＜第七の実施形態＞
次に、本考案の第七の実施形態について説明する。図１２は、本考案の第七の実施形態に係るドリップ補助具７０の斜視図である。本実施形態に係るドリップ補助具７０は、バッグ受け部７１に折込部７３を設けた点で、他の実施形態とは異なる。
【００４７】
ドリップ補助具７０は、長方形の上部開口７６を形成するバッグ受け部７１を有している。その側面には、複数（本例では４箇所）に折込部７３が設けられている。折込部７３は、側面のシートを内側に折り込むことが可能な部分であり、その折り込みの深さによって上部開口７６の大きさを調整することが出来るようになっている。従って、このようなドリップ補助具７０では、折り込みが可能な紙やプラスチック等の素材で形成されていることが望ましい。
【００４８】
カップ被せ部７２は、その縁部分がフランジ形状に広がり、カップＣの開口Ｏに被せられる構造となっている。
【００４９】
このような構成により、ドリップ補助具７０では、上部開口７６の大きさを自由に調整することが可能である。なお、上部開口７６の形状は必ずしも方形でなくとも、円形であってもよい。
なお、図６〜図１２に示した実施形態においても、のぞき穴を設けてもよい。
【００５０】
以上、本考案の実施形態について説明した。なお、上記の実施形態は、本考案の要旨を例示することを意図し、本考案を限定するものではない。本考案の技術的思想の範囲内でさらなる様々な変形が可能である。
【００５１】
例えば、上記ではコーヒーを主な例として説明したが、他の飲料、例えばお茶（煎茶、紅茶、ウーロン茶、倍煎茶、麦茶）等であってもよい。
【００５２】
また例えば、パック受け部は必ずしも円筒状である必要はなく、多角形の角筒状であってもよい。このような構成によれば、折り曲げてパッキングすることができるためかさ張らない。
【００５３】
さらに、各実施形態及び変形例は、自由に組み合わせることが可能である。
【符号の説明】
【００５４】
９：ドリップバッグ、１０・２０・３０・４０・５０・６０・７０：ドリップ補助具、１１・２１・３１・４１・５１・６１・７１：バッグ受け部、１１１・２２１・４６・７６：上部開口、１１２・２１２・４５：下部開口、１２・２２・３２・４２・５２・６２・７２：カップ被せ部、１２１：縁部、１３・２３・３４・６５：導入部（汁滴り部）、４３：爪孔、４４：折込爪、１３１：フランジ、７３：折込部：、９１：袋体、９２：押え羽根、３１１・３１２・３１３・３２１：金枠、３３：支柱部、３４：導入部、３５：波状部。
【図１】
0003200328.tif 000003
【図２】
0003200328.tif 000004
【図３】
0003200328.tif 000005
【図４】
0003200328.tif 000006
【図５】
0003200328.tif 000007
【図６】
0003200328.tif 000008
【図７】
0003200328.tif 000009
【図８】
0003200328.tif 000010
【図９】
0003200328.tif 000011
【図１０】
0003200328.tif 000012
【図１１】
0003200328.tif 000013
【図１２】
0003200328.tif 000014